(57)【要約】【課題】被験者の生理的反応によって当該被験者の情動を判定する。【解決手段】情動判定装置は、被験者の心拍動間隔の時間変化を示す心拍動情報に基づく少なくとも２つの指標を第１指標及び第２指標として取得する取得部と、予め定められた前記第１指標の基準及び前記第２指標の基準が、前記被験者の情動の種類毎に互いに対応付けられた判定基準と、前記取得部によって取得された前記被験者の前記第１指標及び前記第２指標とに基づいて、前記被験者の情動を判定する判定部と、を備える。【選択図】図１
2019063324.tif 000002
【特許請求の範囲】
【請求項１】
被験者の心拍動間隔の時間変化を示す心拍動情報に基づく少なくとも２つの指標を第１指標及び第２指標として取得する取得部と、
予め定められた前記第１指標の基準及び前記第２指標の基準が、前記被験者の情動の種類毎に互いに対応付けられた判定基準と、前記取得部によって取得された前記被験者の前記第１指標及び前記第２指標とに基づいて、前記被験者の情動を判定する判定部と、
を備える情動判定装置。
【請求項２】
前記第１指標とは、前記心拍動間隔のＲＲ間隔に基づく指標であって、
前記第２指標とは、前記ＲＲ間隔の低周波成分に基づく指標である、
請求項１に記載の情動判定装置。
【請求項３】
前記第１指標とは、前記心拍動間隔のＲＲ間隔の高周波成分に基づく指標であって、
前記第２指標とは、前記ＲＲ間隔の低周波成分に基づく指標である、
請求項１又は請求項２に記載の情動判定装置。
【請求項４】
前記判定部は、前記判定基準と、前記取得部によって時系列に取得された前記被験者の前記第１指標及び前記第２指標とに基づいて、前記被験者の情動の時間変化を更に判定する、
請求項１から請求項３のいずれか一項に記載の情動判定装置。
【請求項５】
前記判定部は、前記被験者の情動の時間変化の基準である変化基準に更に基づいて、前記被験者の情動の時間変化を判定する、
請求項４に記載の情動判定装置。
【請求項６】
前記判定部は、
前記判定基準と、所定の期間において前記取得部によって取得された前記被験者の前記第１指標及び前記第２指標に基づいて、前記所定の期間における前記被験者の情動の時間変化を更に判定する、
請求項１から請求項４のいずれか一項に記載の情動判定装置。
【請求項７】
コンピュータが、
被験者の心拍動間隔の時間変化を示す心拍動情報に基づく少なくとも２つの指標を第１指標及び第２指標として取得し、
予め定められた前記第１指標の基準及び前記第２指標の基準が、前記被験者の情動の種類毎に互いに対応付けられた判定基準と、取得された前記被験者の前記第１指標及び前記第２指標とに基づいて、前記被験者の情動を判定する、
情動判定方法。
【請求項８】
コンピュータに、
被験者の心拍動間隔の時間変化を示す心拍動情報に基づく少なくとも２つの指標を第１指標及び第２指標として取得する取得ステップと、
予め定められた前記第１指標の基準及び前記第２指標の基準が、前記被験者の情動の種類毎に互いに対応付けられた判定基準と、前記取得ステップによって取得された前記被験者の前記第１指標及び前記第２指標とに基づいて、前記被験者の情動を判定する判定ステップと、
を実行させるためのプログラム。
【発明の詳細な説明】
【技術分野】
【０００１】
本発明は、情動判定装置、情動判定方法、及びプログラムに関する。
【背景技術】
【０００２】
従来、撮像装置によってテスト中の被験者の表情を撮像し、被験者の行動反応から当該被験者の客観的な情動を判定する技術が開示されている（例えば、特許文献１）。
【先行技術文献】
【特許文献】
【０００３】
【特許文献１】特開２０１２−１２０２０６号公報
【発明の概要】
【発明が解決しようとする課題】
【０００４】
しかしながら、従来の技術では、被験者の表情を撮像するため、被験者は、撮像装置の前でテストを実施することが求められる。この場合、被験者には、撮像されているという意識が働く。このため、従来の技術では、より自然な被験者の行動反応を取得することが困難であり、正確に被験者の情動を判定することが困難であるおそれがあった。
ここで、被験者の生理的反応には、行動反応に比べて被験者の意識の影響が表れにくい、したがって、被験者の生理的反応に基づいて、被験者の情動を判定することができれば、情動の判定結果への影響を低減させることができる。
本発明は、上記問題に鑑みて為されたものであり、被験者の生理的反応に基づいて当該被験者の情動を判定する情動判定装置、情動判定方法、及びプログラムを提供することを目的とする。
【課題を解決するための手段】
【０００５】
本発明の一態様は、被験者の心拍動間隔の時間変化を示す心拍動情報に基づく少なくとも２つの指標を第１指標及び第２指標として取得する取得部と、予め定められた前記第１指標の基準及び前記第２指標の基準が、前記被験者の情動の種類毎に互いに対応付けられた判定基準と、前記取得部によって取得された前記被験者の前記第１指標及び前記第２指標とに基づいて、前記被験者の情動を判定する判定部と、を備える情動判定装置である。
【０００６】
また、本発明の一態様の情動判定装置において、前記第１指標とは、前記心拍動間隔のＲＲ間隔に基づく指標であって、前記第２指標とは、前記ＲＲ間隔の低周波成分に基づく指標である。
【０００７】
また、本発明の一態様の情動判定装置において、前記第１指標とは、前記心拍動間隔のＲＲ間隔の高周波成分に基づく指標であって、前記第２指標とは、前記ＲＲ間隔の低周波成分に基づく指標である。
【０００８】
また、本発明の一態様の情動判定装置において、前記判定部は、前記判定基準と、前記取得部によって時系列に取得された前記被験者の前記第１指標及び前記第２指標に基づいて、前記被験者の情動の時間変化を更に判定する。
【０００９】
また、本発明の一態様の情動判定装置において、前記判定部は、前記被験者の情動の時間変化の基準である変化基準に更に基づいて、前記被験者の情動の時間変化を判定する。
【００１０】
また、本発明の一態様の情動判定装置において、前記判定部は、前記判定基準と、所定の期間において前記取得部によって取得された前記被験者の前記第１指標及び前記第２指標に基づいて、前記所定の期間における前記被験者の情動の期間変化を更に判定する。
【００１１】
また、本発明の一態様は、コンピュータが、被験者の心拍動間隔の時間変化を示す心拍動情報に基づく少なくとも２つの指標を第１指標及び第２指標として取得し、予め定められた前記第１指標の基準及び前記第２指標の基準が、前記被験者の情動の種類毎に互いに対応付けられた判定基準と、取得された前記被験者の前記第１指標及び前記第２指標とに基づいて、前記被験者の情動を判定する、情動判定方法である。
【００１２】
また、本発明の一態様は、コンピュータに、被験者の心拍動間隔の時間変化を示す心拍動情報に基づく少なくとも２つの指標を第１指標及び第２指標として取得する取得ステップと、予め定められた前記第１指標の基準及び前記第２指標の基準が、前記被験者の情動の種類毎に互いに対応付けられた判定基準と、前記取得ステップによって取得された前記被験者の前記第１指標及び前記第２指標とに基づいて、前記被験者の情動を判定する判定ステップと、を実行させるためのプログラムである。
【発明の効果】
【００１３】
本発明によれば、被験者の生理的反応によって当該被験者の情動を判定することができる。
【図面の簡単な説明】
【００１４】
【図１】第１実施形態に係る情動判定システムの概要を示す図である。
【図２】第１実施形態に係る情動判定システムの構成の一例を示す図である。
【図３】ラッセルの円環モデルの一例を示す図である。
【図４】第１実施形態に係る判定基準情報の一例を示す図である。
【図５】被験者が「喜び」を感じている場合のＲＲ間隔の加算平均の一例を示す図である。
【図６】被験者が「心配」を感じている場合のＲＲ間隔の加算平均の一例を示す図である。
【図７】被験者が「驚き」を感じている場合のＲＲ間隔の加算平均の一例を示す図である。
【図８】被験者が「悲しみ」を感じている場合のＲＲ間隔の加算平均の一例を示す図である。
【図９】被験者が「喜び」を感じている場合の低周波数成分の振幅の加算平均の一例を示す図である。
【図１０】被験者が「心配」を感じている場合の低周波数成分の振幅の加算平均の一例を示す図である。
【図１１】被験者が「驚き」を感じている場合の低周波数成分の振幅の加算平均の一例を示す図である。
【図１２】被験者が「悲しみ」を感じている場合の低周波数成分の振幅の加算平均の一例を示す図である。
【図１３】第１実施形態に係る情動判定装置の動作の一例を示す図である。
【図１４】第１実施形態に係る被験者の情動の判定結果の一例を示す図である。
【図１５】第２実施形態に係る情動判定システムの概要を示す図である。
【図１６】第２実施形態に係る変化基準情報の一例を示す図である。
【図１７】第２実施形態に係る被験者の情動の判定結果の一例を示す図である。
【発明を実施するための形態】
【００１５】
［第１実施形態］
以下、本発明の第１実施形態について図面を参照しながら説明する。まず、図１を参照して、情動判定システム１の概要について説明する。
【００１６】
＜情動判定システム１の概要＞
図１は、第１実施形態に係る情動判定システム１の概要を示す図である。情動判定システム１は、電極ＳＣ１と、情動判定装置１０とを備える。電極ＳＣ１は、情動の判定対象の被験者（以下、被験者ＥＮ）の皮膚に貼付される。電極ＳＣ１は、被験者ＥＮの皮膚表面に生じる電位であって、心臓の活動電位を検出する。電極ＳＣ１は、検出した心臓の活動電位を示す信号（以下，心電位信号）を情動判定装置１０に供給する。
【００１７】
情動判定装置１０は、電極ＳＣ１から心電位信号を取得する。情動判定装置１０は、取得した心電位信号に基づいて被験者ＥＮの心拍の時間間隔（以下、心拍動間隔）を取得する。また、情動判定装置１０は、取得された心拍動間隔に基づく指標によって、被験者ＥＮの情動を判定する。
【００１８】
＜情動判定システム１の構成＞
図２は、第１実施形態に係る情動判定システム１の構成の一例を示す図である。
図２に示す通り、情動判定装置１０は、制御部１００と、記憶部２００とを備える。記憶部２００は、例えば、ＨＤＤ（Ｈａｒｄ  Ｄｉｓｋ  Ｄｒｉｖｅ）や、フラッシュメモリ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などにより実現される。記憶部２００には、予め判定基準情報Ｄ１が記憶される。
【００１９】
＜判定基準情報Ｄ１について＞
図３は、ラッセルの円環モデルの一例を示す図である。
従来、情感は、覚醒度（Ａｒｏｕｓａｌ）の指標と、感情のポジティブ度又はネガティブ度（Ｖａｌｅｎｃｅ）の指標とを軸とする二次元によって定義できる可能性があることが知られている。本実施形態において、情動判定装置１０は、覚醒度（Ａｒｏｕｓａｌ）の指標として、心拍動間隔、つまり、ＲＲ間隔の平均値（以下、平均ＲＲ間隔）を用いる。また、情動判定装置１０は、感情のポジティブ度又はネガティブ度（Ｖａｌｅｎｃｅ）の指標として、ＲＲ間隔の低周波成分の振幅の標準偏差（以下、ＬＦ（Ｌｏｗ  Ｆｒｅｑｕｅｎｃｙ）振幅標準偏差）を用いる。平均ＲＲ間隔及びＬＦ振幅標準偏差の具体的な取得方法については、後述する。本実施形態において、判定基準情報Ｄ１とは、予め定められた平均ＲＲ間隔の基準及びＬＦ振幅標準偏差の基準が、被験者ＥＮの種類毎に互いに対応付けられた情報である。ここで、平均ＲＲ間隔とは、第１指標の一例である。また、ＬＦ振幅標準偏差とは、第２指標の一例である。なお、心拍動間隔は、ＲＲ間隔の他、あるＱ波から次のＱ波までの間隔であってもよく、あるＱＲＳ波から次のＱＲＳ波までの間隔であってもよい。
【００２０】
図４は、第１実施形態に係る判定基準情報Ｄ１の一例を示す図である。
図４に示される通り、本実施形態において、情動判定装置１０は、「喜び」、「心配」、「驚き」及び「悲しみ」を判定する。具体的には、
判定基準情報Ｄ１には、「喜び」の基準として、「７８２［ｍｓ］」程度の平均ＲＲ間隔と、「２．１４［ｍｓ］」程度のＬＦ振幅標準偏差とが、互いに対応付けられる。
また、判定基準情報Ｄ１には、「心配」を示す基準として、「７３７［ｍｓ］」程度の平均ＲＲ間隔と、「１．０４［ｍｓ］」程度のＬＦ振幅標準偏差とが、互いに対応付けられる。
また、判定基準情報Ｄ１は、「悲しみ」を示す基準として、「７８８［ｍｓ］」程度の平均ＲＲ間隔と、「１．３７［ｍｓ］」程度のＬＦ振幅標準偏差とが、互いに対応付けられる。
また、判定基準情報Ｄ１は、「驚き」を示す基準として、「８１７［ｍｓ］」程度の平均ＲＲ間隔と、「１．９４［ｍｓ］」程度のＬＦ振幅標準偏差とが、互いに対応付けられる。
【００２１】
＜制御部１００について＞
図２に戻り、制御部１００は、ＣＰＵ（Ｃｅｎｔｒａｌ  Ｐｒｏｃｅｓｓｉｎｇ  Ｕｎｉｔ）などのプロセッサが記憶部２００に記憶されたプログラムを実行することによって実現される。制御部１００は、例えば、取得部１１０と、指標取得部１２０と、判定部１３０と、出力部１４０とをその機能部として備える。これらの機能部は、ＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）等のハードウェアによって実現されてもよいし、ソフトウェアとハードウェアの協働によって実現されてもよい。
【００２２】
取得部１１０は、電極ＳＣ１から被験者ＥＮの心電位信号を取得する。本実施形態において、取得部１１０は、取得した心電位信号と、当該心電位信号を取得した時刻とを対応付けて、常時又は所定の時間間隔において指標取得部１２０に供給する。
【００２３】
指標取得部１２０は、取得部１１０によって取得された心電位信号の時間変化に基づいて、第１指標と、第２指標とを取得する。指標取得部１２０は、例えば、取得部１１０から心電位信号を取得する度に、心電位信号を取得した時刻よりも所定の時間だけ過去の間において取得された心電位信号に基づいて、被験者ＥＮのＲＲ間隔を取得する。所定の時間とは、例えば、１分程度の間である。また、指標取得部１２０は、取得したＲＲ間隔に基づいて、平均ＲＲ間隔（つまり、第１指標）を取得する。
【００２４】
図５は、被験者ＥＮが「喜び」を感じている場合のＲＲ間隔の加算平均の一例を示す図である。図５に示す波形ＷＲＲ１は、７人の被験者ＥＮがそれぞれ「喜び」を感じている場合のＲＲ間隔の加算平均波形である。図６は、被験者ＥＮが「心配」を感じている場合のＲＲ間隔の加算平均の一例を示す図である。図６に示す波形ＷＲＲ２は、１６人の被験者ＥＮがそれぞれ「心配」を感じている場合のＲＲ間隔の加算平均波形である。図７は、被験者ＥＮが「驚き」を感じている場合のＲＲ間隔の加算平均の一例を示す図である。図７に示す波形ＷＲＲ３は、９人の被験者ＥＮがそれぞれ「驚き」を感じている場合のＲＲ間隔の加算平均波形である。図８は、被験者ＥＮが「悲しみ」を感じている場合のＲＲ間隔の加算平均の一例を示す図である。図８に示す波形ＷＲＲ４は、１０人の被験者ＥＮがそれぞれ「悲しみ」を感じている場合のＲＲ間隔の加算平均波形である。
【００２５】
図２に戻り、指標取得部１２０は、例えば、ｃｏｍｐｌｅｘ  ｄｅｍｏｄｕｌａｔｉｏｎ法を用いて取得したＲＲ間隔から低周波数成分を求める。ここで、ＲＲ間隔の低周波成分とは、例えば、ＲＲ間隔に含まれる周波数成分のうち、０．０４［Ｈｚ］から０．１５［Ｈｚ］までの周波数成分である。指標取得部１２０は、取得したＲＲ間隔に含まれる低周波数成分に基づいて、低周波成分の振幅の標準偏差であるＬＦ振幅標準偏差（つまり、第２指標）を取得する。
【００２６】
図９は、被験者ＥＮが「喜び」を感じている場合の低周波数成分の振幅の加算平均の一例を示す図である。図９に示す波形ＷＬＦ１は、７人の被験者ＥＮがそれぞれ「喜び」を感じている場合のＲＲ間隔のＬＦ成分の振幅の加算平均波形である。図１０は、被験者ＥＮが「心配」を感じている場合の低周波数成分の振幅の加算平均の一例を示す図である。図１０に示す波形ＷＬＦ２は、１６人の被験者ＥＮがそれぞれ「心配」を感じている場合のＲＲ間隔のＬＦ成分の振幅の加算平均波形である。図１１は、被験者ＥＮが「驚き」を感じている場合の低周波数成分の振幅の加算平均の一例を示す図である。図１１に示す波形ＷＬＦ３は、９人の被験者ＥＮがそれぞれ「驚き」を感じている場合のＲＲ間隔のＬＦ成分の振幅の加算平均波形である。図１２は、被験者ＥＮが「悲しみ」を感じている場合の低周波数成分の振幅の加算平均の一例を示す図である。図１２に示す波形ＷＬＦ４は、１０人の被験者ＥＮがそれぞれ「悲しみ」を感じている場合のＲＲ間隔のＬＦ成分の振幅の加算平均波形である。
【００２７】
図２に戻り、判定部１３０は、判定基準情報Ｄ１と、指標取得部１２０が取得した被験者ＥＮの平均ＲＲ間隔及びＬＦ振幅標準偏差に基づいて、被験者ＥＮの情動を判定する。具体的には、判定部１３０は、指標取得部１２０が取得した被験者ＥＮの平均ＲＲ間隔の値と、ＬＦ振幅標準偏差の値とが、判定基準情報Ｄ１に示される各情動の範囲と合致する場合、被験者ＥＮが当該情動を感じていると判定する。各情動の範囲とは、判定基準情報Ｄ１に示される各情動の基準値から、平均ＲＲ間隔の値が「±０．５」以内であって、かつＬＦ振幅標準偏差の値が「±０．５」以内の範囲である。また、指標取得部１２０は、当該範囲内に被験者ＥＮの平均ＲＲ間隔及びＬＦ振幅標準偏差が合致しない場合、被験者ＥＮには、判定基準情報Ｄ１に示す各情動（この一例では、「喜び」、「心配」、「驚き」及び「悲しみ」）を感じていないと判定する。判定部１３０は、被験者ＥＮの情動を判定した判定結果を示す情報を出力部１４０に供給する。
【００２８】
出力部１４０は、判定部１３０が判定した判定結果を示す情報を出力する。出力部１４０は、例えば、情動判定装置１０と情報の送受信が可能に接続された端末（不図示）に対して判定結果を示す情報を送信してもよく、判定結果を示す情報を記憶部２００に出力し記憶させてもよい。
【００２９】
＜情動判定装置１０の動作について＞
図１３は、第１実施形態に係る情動判定装置１０の動作の一例を示す図である。
取得部１１０は、電極ＳＣ１から心電位信号を取得する（ステップＳ１１０）。指標取得部１２０は、取得部１１０によって取得された心電位信号の時間変化に基づいて、第１指標と、第２指標とを取得する（ステップＳ１２０）。判定部１３０は、指標取得部１２０が取得した第１指標及び第２指標が、判定基準情報Ｄ１が示す各情動の基準と合致するか否かを判定する（ステップＳ１３０）。判定部１３０は、指標取得部１２０が取得した第１指標及び第２指標が判定基準情報Ｄ１の示す各情動の範囲のいずれかと合致する場合（ステップＳ１３０；ＹＥＳ）、被験者ＥＮが合致する情動を感じていると判定する（ステップＳ１４０）。判定部１３０は、指標取得部１２０が取得した第１指標及び第２指標が判定基準情報Ｄ１の示す各情動の範囲のいずれかと合致しない場合（ステップＳ１３０；ＮＯ）、被験者ＥＮが判定基準情報Ｄ１に示す情動を感じていないと判定する（ステップＳ１５０）。
【００３０】
＜情動判定装置１０による被験者ＥＮの情動の判定結果＞
図１４は、第１実施形態に係る被験者ＥＮの情動の判定結果の一例を示す図である。
情動判定装置１０は、図５に示すＲＲ間隔に基づく平均ＲＲ間隔及び図９に示す低周波数成分の振幅に基づくＬＦ振幅標準偏差（図示する点Ｐ１）と、判定基準情報Ｄ１とに基づいて、当該被験者ＥＮが「喜び」を感じていると判定する。また、情動判定装置１０は、図６に示すＲＲ間隔に基づく平均ＲＲ間隔及び図１０に示す低周波数成分の振幅に基づくＬＦ振幅標準偏差（図示する点Ｐ２）と、判定基準情報Ｄ１とに基づいて、当該被験者ＥＮが「心配」を感じていると判定する。また、情動判定装置１０は、図７に示すＲＲ間隔に基づく平均ＲＲ間隔及び図１１に示す低周波数成分の振幅に基づくＬＦ振幅標準偏差（図示する点Ｐ３）と、判定基準情報Ｄ１とに基づいて、当該被験者ＥＮが「驚き」を感じていると判定する。また、情動判定装置１０は、図８に示すＲＲ間隔に基づく平均ＲＲ間隔及び図１２に示す低周波数成分の振幅に基づくＬＦ振幅標準偏差（図示する点Ｐ４）と、判定基準情報Ｄ１とに基づいて、当該被験者ＥＮが「悲しみ」を感じていると判定する。
【００３１】
＜第１実施形態のまとめ＞
以上説明したように、本実施形態の情動判定装置１０は、被験者ＥＮの心拍動間隔の時間変化を示す心拍動情報に基づく少なくとも２つの指標を第１指標（この一例では、平均ＲＲ間隔）及び第２指標（この一例では、ＬＦ振幅標準偏差）として取得する取得部（この一例では、指標取得部１２０）と、予め定められた平均ＲＲ間隔の基準及びＬＦ振幅標準偏差の基準が、被験者ＥＮの情動の種類毎に互いに対応付けられた判定基準（この一例では、判定基準情報Ｄ１）と、指標取得部１２０によって取得された被験者ＥＮの平均ＲＲ間隔及びＬＦ振幅標準偏差に基づいて、被験者ＥＮの情動を判定する判定部１３０と、を備える。
【００３２】
従来、被験者ＥＮの表情の変化等の行動反応に基づいて、当該被験者ＥＮの情動を判定する技術が知られている。行動反応は、被験者ＥＮの意識によっては情動を適切に示さない場合がある。例えば、被験者ＥＮが笑いをこらえたり、無表情を保とうと意識したりすることにより、被験者ＥＮの表情には、当該被験者ＥＮの情動が示されない。
【００３３】
これに対し、本実施形態の情動判定装置１０は、被験者ＥＮの生理的反応である心拍動間隔によって当該被験者ＥＮの情動を判定する。被験者ＥＮは、一般に、心拍等の生理的反応の変化を意識して抑制することが困難である。したがって、本実施形態の情動判定装置１０は、被験者ＥＮの生理的反応に基づいて、当該被験者ＥＮの情動をより精度高く判定することができる。
【００３４】
また、従来、被験者ＥＮの情動を生理的反応に基づいて判定する手段として、ポリグラフが知られている。しかしながら、ポリグラフを用いて被験者ＥＮの情動を判定する場合、当該被験者ＥＮの呼吸、脈拍及び血圧等の複数の生理的反応を同時に取得することが求められる場合があった。
本実施形態の情動判定装置１０によれば、被験者ＥＮの生理的反応として心拍動間隔のみを取得することによって、当該被験者ＥＮの情動を簡便な構成、かつ客観的に判定することができる。
【００３５】
［第２実施形態］
以下、本発明の第２実施形態について図面を参照しながら説明する。まず、図１５を参照して、本実施形態の情動判定システム（以下、情動判定システム２）の概要について説明する。
【００３６】
＜情動判定システム２の概要＞
図１５は、第２実施形態に係る情動判定システム２の概要を示す図である。情動判定システム２は、電極ＳＣ１と、情動判定装置１１とを備える。情動判定装置１１は、制御部１００と、記憶部２０１とを備える。記憶部２０１には、判定基準情報Ｄ１と、変化基準情報Ｄ２とが記憶される。変化基準情報Ｄ２とは、被験者ＥＮの情動の時間変化の基準を示す。
【００３７】
＜変化基準情報Ｄ２について＞
図１６は、第２実施形態に係る変化基準情報Ｄ２の一例を示す図である。
本実施形態において、被験者ＥＮには、情動の時間変化が「驚き」、「喜び」、「心配」及び「悲しみ」の順に生じるような試験が行われる。この試験とは、例えば、映像コンテンツの視聴や、書籍や雑誌の閲覧や、芸術作品の鑑賞等である。これに伴い、変化基準情報Ｄ２は、指標取得部１２０によって時系列に取得された被験者ＥＮの情動の時間変化が「驚き」、「喜び」、「心配」及び「悲しみ」の順に生じることを示す。
【００３８】
図１５に戻り、本実施形態の指標取得部１２０は、所定のタイミングにおいて、取得部１１０から心電位信号を取得する。所定のタイミングとは、被験者ＥＮに与えられる試験の期間のうち、被験者ＥＮの情動が変化するタイミングである。この一例では、指標取得部１２０は、「驚き」、「喜び」、「心配」及び「悲しみ」が生じるような試験が行われている各タイミングにおいて心電位信号を取得する。指標取得部１２０は、各タイミングにおいて取得した心電位信号の時間変化に基づいて、平均ＲＲ間隔と及びＬＦ振幅標準偏差を取得する。
判定部１３０は、指標取得部１２０が各タイミングにおいて取得した平均ＲＲ間隔と及びＬＦ振幅標準偏差に基づいて、被験者ＥＮの情動の時間変化を判定する。
【００３９】
図１７は、第２実施形態に係る被験者ＥＮの情動の判定結果の一例を示す図である。
情動判定装置１１は、図７に示すＲＲ間隔に基づく平均ＲＲ間隔及び図１１に示す低周波数成分の振幅に基づくＬＦ振幅標準偏差（図示する点Ｐ１１）と、判定基準情報Ｄ１とに基づいて、当該被験者ＥＮが「驚き」を感じていると判定する。次に、情動判定装置１１は、図５に示すＲＲ間隔に基づく平均ＲＲ間隔及び図９に示す低周波数成分の振幅に基づくＬＦ振幅標準偏差（図示する点Ｐ１２）と、判定基準情報Ｄ１とに基づいて、当該被験者ＥＮが「喜び」を感じていると判定する。次に、情動判定装置１１は、図８に示すＲＲ間隔に基づく平均ＲＲ間隔及び図１２に示す低周波数成分の振幅に基づくＬＦ振幅標準偏差（図示する点Ｐ１３）と、判定基準情報Ｄ１とに基づいて、当該被験者ＥＮが「悲しみ」を感じていると判定する。次に、情動判定装置１１は、図６に示すＲＲ間隔に基づく平均ＲＲ間隔及び図１０に示す低周波数成分の振幅に基づくＬＦ振幅標準偏差（図示する点Ｐ１４）と、判定基準情報Ｄ１とに基づいて、当該被験者ＥＮが「心配」を感じていると判定する。
【００４０】
これにより、判定部１３０は、被験者ＥＮの情動の時間変化が「驚き」、「喜び」、「悲しみ」及び「心配」の順に変化していると判定する。上述したように、変化基準情報Ｄ２は、指標取得部１２０によって時系列に取得された被験者ＥＮの情動の時間変化が「驚き」、「喜び」、「心配」及び「悲しみ」の順に生じることを示す。つまり、被験者ＥＮの情動の時間変化と、変化基準情報Ｄ２が示す被験者ＥＮの情動の時間変化の基準とは、合致しない。したがって、判定部１３０は、被験者ＥＮの情動の時間変化が適切ではないと判定する。
【００４１】
＜第２実施形態のまとめ＞
以上説明したように、本実施形態の情動判定装置１１の判定部１３０は、判定基準情報Ｄ１と、指標取得部１２０によって時系列に取得された被験者ＥＮの第１指標（この一例では、平均ＲＲ間隔）及び第２指標（この一例では、ＬＦ振幅標準偏差）と、被験者ＥＮの情動の時間変化の基準である変化基準（この一例では、変化基準情報Ｄ２）に更に基づいて、被験者ＥＮの情動の時間変化を判定する。
【００４２】
ここで、被験者ＥＮに認知症の症状が現れている場合、被験者ＥＮに対して情動に変化が生じるような試験が行われていても、当該被験者ＥＮの情動に時間変化が生じない場合がある。本実施形態の情動判定装置１１によれば、被験者ＥＮに対して情動に変化が生じるような試験を行い、適切に情動が時間変化しているか否かを判定することができる。したがって、本実施形態の情動判定装置１１によれば、被験者ＥＮに認知症の症状が現れているかを診断する際の参考となる情報を提供することができる。
【００４３】
また、映像コンテンツの作成者等は、作成した映像コンテンツによって所望の情動の変化を被験者ＥＮに生じさせたい場合がある。本実施形態の情動判定装置１１によれば、所望の情動の時間変化が被験者ＥＮに生じているか否かを客観的に判定することができる。
【００４４】
＜被験者ＥＮに何らかの情動の変化が生じているか否かを判定する場合＞
なお、上述では、判定部１３０が、被験者ＥＮの情動の時間変化が変化基準情報Ｄ２と合致するか否かを判定する場合について説明したが、これに限られない。判定部１３０は、例えば、試験によって、被験者ＥＮの情動に何らかの変化（時間変化）が生じているか否かを判定する構成であってもよい。この場合、判定部１３０は、指標取得部１２０によって時系列に取得された被験者ＥＮの平均ＲＲ間隔及びＬＦ振幅標準偏差と、判定基準情報Ｄ１とに基づいて、被験者ＥＮの情動の時間変化を判定する。これにより、本実施形態の情動判定装置１１は、試験によって、被験者ＥＮに情動の時間変化が生じているか否かを判定し、被験者ＥＮに認知症の症状が現れているかを診断する際の参考となる情報を提供することができる。また、本実施形態の情動判定装置１１は、映像コンテンツ等によって被験者ＥＮに情動の時間変化を生じさせることができるか否かを判断する際の参考となる情報を提供することができる。
【００４５】
＜被験者ＥＮに何らかの情動の変化が生じているか否かを判定する場合＞
また、上述では、判定部１３０が、指標取得部１２０によって時系列に取得された被験者ＥＮの平均ＲＲ間隔及びＬＦ振幅標準偏差と、判定基準情報Ｄ１とに基づいて、被験者ＥＮの情動の時間変化を判定する場合について説明したが、これに限られない。判定部１３０は、例えば、所定の期間中（例えば、試験が行われている期間中）において、被験者ＥＮに何らかの情動が生じているか否かを判定する構成であってもよい。この場合、判定部１３０は、所定の期間において指標取得部１２０によって取得された被験者ＥＮの平均ＲＲ間隔及びＬＦ振幅標準偏差に基づいて、前記所定の期間における前記被験者の情動の時間変化を判定する。これにより、本実施形態の情動判定装置１１は、試験によって、被験者ＥＮに情動が生じているか否かを判定し、被験者ＥＮに認知症の症状が現れているかを診断する際の参考となる情報を提供することができる。また、本実施形態の情動判定装置１１は、映像コンテンツ等によって被験者ＥＮに情動を生じさせることができるか否かを判断する際の参考となる情報を提供することができる。
【００４６】
＜平均ＲＲ間隔の形状及び平均ＬＦ振幅の形状＞
なお、上述では、情動判定装置１０が平均ＲＲ間隔の値及びＬＦ振幅標準偏差の値に基づいて、被験者ＥＮの情動を判定する場合について説明したが、これに限られない。情動判定装置１０は、例えば、所定の期間における平均ＲＲ間隔を示す波形の形状及び、所定の期間における平均ＬＦ振幅の波形の形状に基づいて、被験者ＥＮの情動を判定する構成であってもよい。この場合、判定基準情報Ｄ１は、被験者ＥＮの平均ＲＲ間隔の基準波形を示す情報と、平均ＬＦ振幅の基準波形を示す情報とが、情動の種類毎に互いに対応付けられた情報である。基準波形を示す情報とは、当該基準波形の値を所定の時間間隔（分解能）によって示す情報であってもよく、当該基準波形を示す画像であってもよい。
判定部１３０は、例えば、被験者ＥＮの平均ＲＲ間隔を示す波形の形状及び平均ＬＦ振幅を示す波形が、判定基準情報Ｄ１が示す、ある情動の平均ＲＲ間隔の基準波形及び平均ＬＦ振幅の基準波形と合致、又は相似する波形の形状である場合、被験者ＥＮが当該情動を感じていると判定する。
なお、平均ＲＲ間隔の波形の形状、平均ＬＦ振幅の波形の形状を取得する所定の期間は、情動の種類毎に長さが異なる期間であってもよい。
【００４７】
なお、上述では、第１指標が平均ＲＲ間隔である場合について説明したが、これに限られない。第１指標は、例えば、平均ＲＲ間隔に代えて、ＲＲ間隔に含まれる高周波数成分の振幅に基づいて、高周波成分の振幅の平均値を用いる構成であってもよい。ここで、ＲＲ間隔の高周波成分とは、例えば、ＲＲ間隔に含まれる周波数成分のうち、０．１５［Ｈｚ］から０．４０［Ｈｚ］までの周波数成分である。
【００４８】
また、上述では、電極ＳＣ１によって取得した心電位信号に基づいて、被験者ＥＮの心拍動間隔を取得する場合について説明したが、これに限られない。心拍動間隔は、例えば、被験者ＥＮを撮像した画像に基づいて、当該被験者ＥＮの心拍動間隔が取得されてもよく、脈波信号に基づいて、当該被験者ＥＮの脈拍間隔を取得し、心拍動間隔の代りに用いてもよい。
【００４９】
また、上述では、被験者ＥＮのＲＲ間隔を周波数領域（周波数スペクトル）によって第１指標及び第２指標を取得する場合について説明したが、これに限られない。第１指標及び第２指標は、被験者ＥＮのＲＲ間隔の非線形領域の解析によって取得されてもよく、被験者ＥＮのＲＲ間隔の時間領域の解析によって取得されてもよい。
【００５０】
また、上記の各実施形態における情動判定装置１０又は情動判定装置１１が備える各部は、専用のハードウェアにより実現されるものであってもよく、また、メモリおよびマイクロプロセッサにより実現させるものであってもよい。
【００５１】
また、情動判定装置１０又は情動判定装置１１が備える各部は、メモリおよびＣＰＵ（中央演算装置）により構成され、情動判定装置１０又は情動判定装置１１が備える各部の機能を実現するためのプログラムをメモリにロードして実行することによりその機能を実現させるものであってもよい。
【００５２】
また、情動判定装置１０又は情動判定装置１１が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００５４】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００５５】
１、２…情動判定システム、１０、１１…情動判定装置、１００…制御部、１１０…取得部、１２０…指標取得部、１３０…判定部、１４０…出力部、２００、２０１…記憶部、Ｄ１…判定基準情報、Ｄ２…変化基準情報、ＥＮ…被験者
【図１】
2019063324.tif 000003
【図２】
2019063324.tif 000004
【図３】
2019063324.tif 000005
【図４】
2019063324.tif 000006
【図５】
2019063324.tif 000007
【図６】
2019063324.tif 000008
【図７】
2019063324.tif 000009
【図８】
2019063324.tif 000010
【図９】
2019063324.tif 000011
【図１０】
2019063324.tif 000012
【図１１】
2019063324.tif 000013
【図１２】
2019063324.tif 000014
【図１３】
2019063324.tif 000015
【図１４】
2019063324.tif 000016
【図１５】
2019063324.tif 000017
【図１６】
2019063324.tif 000018
【図１７】
2019063324.tif 000019